【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
内側部分と主要表面とを有するフルオロ熱可塑性フィルムと、
該主要表面の少なくとも一部に接着した感圧接着層と、を含む接着剤物品であって、該感圧接着剤が、シリコーンポリ尿素ブロックコポリマーとＭＱ粘着付与樹脂とを含み、そして該シリコーンポリ尿素ブロックコポリマーが次の式で表されるｎ個のブロックと、
【化１】
2009522409.tif 000001
次の式で表されるｍ個のブロックとを含み、
【化２】
2009522409.tif 000002
式中、
各Ｒは、それぞれ独立して、アルキル基類、ビニル基類、高級アルケニル基類、シクロアルキル基類、アリール基類、およびフッ素含有基類から成る群より選択される一価の基を表し；
各Ｚは、それぞれ独立して、アリーレン基類、アルカリーレン基類、アラルキレン基類、アルキレン基類、およびシクロアルキレン基類、並びにこれらの組み合わせから成る群より選択される二価の基を表し；
各Ｙは、それぞれ独立して、アルキレン基類、アルカリーレン基類、アラルキレン基類、アリーレン基類、およびこれらの組み合わせから成る群より選択される二価の基を表し；
各Ｄは、それぞれ独立して、水素、炭素原子数１〜１０のアルキル基類、フェニル、およびＢまたはＹを包含する環構造を完成させて複素環を形成する基類から成る群より選択され；
各Ｂは、それぞれ独立して、アルキレン基類、アルカリーレン基類、アラルキレン基類、シクロアルキレン基類、アリーレン基類、およびポリ（アルキレンオキシ）基類、並びにこれらの組み合わせから成る群より選択される二価の基を表し；
ｐは、少なくとも１０である整数であり；
ｎは、少なくとも１である整数であり；および
ｍは、少なくとも１〜１，０００まで（１，０００を包含する）の範囲の整数であり、そしてこの場合、ｎ対ｍの比は、１：１０〜１０：１までの範囲である、接着剤物品。
【請求項２】
基材に接着された請求項１に記載の接着剤物品を含み、該感圧接着剤層の少なくとも一部が基材に接着接合されている、複合物品。
【請求項３】
接着剤物品の製造方法であって、該方法が、感圧接着剤層をフルオロ熱可塑性フィルムの主要表面の少なくとも一部に接着する工程を含み、該感圧接着剤が、シリコーンポリ尿素ブロックコポリマーとＭＱ粘着付与樹脂とを含み、該感圧接着剤が、シリコーンポリ尿素ブロックコポリマーとＭＱ粘着付与樹脂とを含み、そして該シリコーンポリ尿素ブロックコポリマーが、次の式で表されるｎ個のブロック：
【化３】
2009522409.tif 000003
および次の式で表されるｍ個のブロックとを含み、
【化４】
2009522409.tif 000004
式中、
各Ｒは、それぞれ独立して、アルキル基類、ビニル基類、高級アルケニル基類、シクロアルキル基類、アリール基類、およびフッ素含有基類から成る群より選択される一価の基を表し；
各Ｚは、それぞれ独立して、アリーレン基類、アルカリーレン基類、アラルキレン基類、アルキレン基類、およびシクロアルキレン基類、並びにこれらの組み合わせから成る群より選択される二価の基を表し；
各Ｙは、それぞれ独立して、アルキレン基類、アルカリーレン基類、アラルキレン基類、アリーレン基類、およびこれらの組み合わせから成る群より選択される二価の基を表し；
各Ｄは、それぞれ独立して、水素、炭素原子数１〜１０のアルキル基類、フェニル、およびＢまたはＹを包含する環構造を完成させて複素環を形成する基類から成る群より選択され；
各Ｂは、それぞれ独立して、アルキレン基類、アルカリーレン基類、アラルキレン基類、シクロアルキレン基類、アリーレン基類、およびポリ（アルキレンオキシ）基類、並びにこれらの組み合わせから成る群より選択される二価の基を表し；
ｐは、少なくとも１０である整数であり；
ｎは、少なくとも１である整数であり；および
ｍは、少なくとも１〜１，０００まで（１，０００を包含する）の範囲の整数であり、そしてこの場合、ｎ対ｍの比は、１：１０〜１０：１の範囲である、方法。
【手続補正２】
【補正対象書類名】明細書
【補正対象項目名】０１１２
【補正方法】変更
【補正の内容】
【０１１２】
本発明の種々の修正及び変更は、本発明の範囲及び精神を逸脱することなく、当業者によって行うことができるが、本発明は本明細書に記載された例示的な実施形態に不当に限定されるべきではないと理解されるべきである。
以下に、本願発明に関連する発明の実施の形態を列挙する。
実施形態１
内側部分と主要表面とを有するフルオロ熱可塑性フィルムと、
該主要表面の少なくとも一部に接着した感圧接着層と、を含む接着剤物品であって、該感圧接着剤が、シリコーンポリ尿素ブロックコポリマーとＭＱ粘着付与樹脂とを含み、そして該シリコーンポリ尿素ブロックコポリマーが次の式で表されるｎ個のブロックと、
【化５】
2009522409.tif 000005
次の式で表されるｍ個のブロックとを含み、
【化６】
2009522409.tif 000006
式中、
各Ｒは、それぞれ独立して、アルキル基類、ビニル基類、高級アルケニル基類、シクロアルキル基類、アリール基類、およびフッ素含有基類から成る群より選択される一価の基を表し；
各Ｚは、それぞれ独立して、アリーレン基類、アルカリーレン基類、アラルキレン基類、アルキレン基類、およびシクロアルキレン基類、並びにこれらの組み合わせから成る群より選択される二価の基を表し；
各Ｙは、それぞれ独立して、アルキレン基類、アルカリーレン基類、アラルキレン基類、アリーレン基類、およびこれらの組み合わせから成る群より選択される二価の基を表し；
各Ｄは、それぞれ独立して、水素、炭素原子数１〜１０のアルキル基類、フェニル、およびＢまたはＹを包含する環構造を完成させて複素環を形成する基類から成る群より選択され；
各Ｂは、それぞれ独立して、アルキレン基類、アルカリーレン基類、アラルキレン基類、シクロアルキレン基類、アリーレン基類、およびポリ（アルキレンオキシ）基類、並びにこれらの組み合わせから成る群より選択される二価の基を表し；
ｐは、少なくとも１０である整数であり；
ｎは、少なくとも１である整数であり；および
ｍは、少なくとも１〜１，０００まで（１，０００を包含する）の範囲の整数であり、そしてこの場合、ｎ対ｍの比は、１：１０〜１０：１までの範囲である、接着剤物品。
実施形態２
該フルオロポリマーの該主要表面と内側部分とが同じ組成を有する、実施形態１に記載の接着剤物品。
実施形態３
【化７】
2009522409.tif 000007
の式量が１モル当たり１０，０００〜３７，０００グラムである、実施形態１に記載の接着剤物品。
実施形態４
【化８】
2009522409.tif 000008
の式量が１モル当たり１４，０００〜３５，０００グラムである、実施形態１に記載の接着剤物品。
実施形態５
該フィルムの厚さが、１００マイクロメートル〜３００マイクロメートルの範囲である、実施形態１に記載の接着剤物品。
実施形態６
Ｒがメチルであり、Ｚが
−ＣＨ２Ｃ６Ｈ４Ｃ（ＣＨ３）２Ｃ６Ｈ４ＣＨ２−であり、Ｙが−ＣＨ２ＣＨ２ＣＨ２−であり、ＤがＨであり、そしてＢが
−ＣＨ２ＣＨ２ＣＨ２ＣＨ（ＣＨ３）−である、実施形態１に記載の接着剤物品。
実施形態７
該フルオロ熱可塑性フィルムが、テトラフルオロエチレン−ヘキサフルオロプロピレン−フッ化ビニリデンコポリマー類；テトラフルオロエチレン−ヘキサフルオロプロピレンコポリマー類；テトラフルオロエチレン−ペルフルオロプロピルビニルエーテルコポリマー類；テトラフルオロエチレン−ヘキサフルオロプロピレンコポリマー類；エチレン−テトラフルオロエチレンコポリマー類；テトラフルオロエチレン−プロピレンコポリマー類；およびテトラフルオロエチレン−ヘキサフルオロプロピレン−エチレンコポリマー類から成る群より選択される少なくとも１つのフルオロ熱可塑性材料を含む、実施形態１に記載の接着剤物品。
実施形態８
該感圧接着剤層の少なくとも一部に剥離可能に接着された剥離ライナーを更に含む、実施形態１に記載の接着剤物品。
実施形態９
基材に接着された実施形態１に記載の接着剤物品を含み、該感圧接着剤層の少なくとも一部が基材に接着接合されている、複合物品。
実施形態１０
該基材が、ガラス、ポリエステル、ポリアミド、ポリメチルメタクリレート、ポリプロピレン、金属、ガラス繊維、またはセラミックのうち少なくとも１つを含む、実施形態９に記載の複合物品。
実施形態１１
複合物品の製造方法であって、該方法が、実施形態１に記載のフルオロ熱可塑性物品を提供する工程と、該感圧接着剤層の少なくとも一部を基材に接着する工程とを含む、該方法。
実施形態１２
該接着剤物品の該感圧接着剤層をガラスに接着して、１８０°剥離接着試験に従って剥離すると、該感圧接着剤層が、ガラスからきれいに剥離し、そして該非多孔性フルオロ熱可塑性フィルムとは接着したままである、実施形態１に記載の接着剤物品。
実施形態１３
ｎ対ｍの比が１である、実施形態１に記載の接着剤物品。
実施形態１４
接着剤物品の製造方法であって、該方法が、感圧接着剤層をフルオロ熱可塑性フィルムの主要表面の少なくとも一部に接着する工程を含み、該感圧接着剤が、シリコーンポリ尿素ブロックコポリマーとＭＱ粘着付与樹脂とを含み、該感圧接着剤が、シリコーンポリ尿素ブロックコポリマーとＭＱ粘着付与樹脂とを含み、そして該シリコーンポリ尿素ブロックコポリマーが、次の式で表されるｎ個のブロック：
【化９】
2009522409.tif 000009
および次の式で表されるｍ個のブロックとを含み、
【化１０】
2009522409.tif 000010
式中、
各Ｒは、それぞれ独立して、アルキル基類、ビニル基類、高級アルケニル基類、シクロアルキル基類、アリール基類、およびフッ素含有基類から成る群より選択される一価の基を表し；
各Ｚは、それぞれ独立して、アリーレン基類、アルカリーレン基類、アラルキレン基類、アルキレン基類、およびシクロアルキレン基類、並びにこれらの組み合わせから成る群より選択される二価の基を表し；
各Ｙは、それぞれ独立して、アルキレン基類、アルカリーレン基類、アラルキレン基類、アリーレン基類、およびこれらの組み合わせから成る群より選択される二価の基を表し；
各Ｄは、それぞれ独立して、水素、炭素原子数１〜１０のアルキル基類、フェニル、およびＢまたはＹを包含する環構造を完成させて複素環を形成する基類から成る群より選択され；
各Ｂは、それぞれ独立して、アルキレン基類、アルカリーレン基類、アラルキレン基類、シクロアルキレン基類、アリーレン基類、およびポリ（アルキレンオキシ）基類、並びにこれらの組み合わせから成る群より選択される二価の基を表し；
ｐは、少なくとも１０である整数であり；
ｎは、少なくとも１である整数であり；および
ｍは、少なくとも１〜１，０００まで（１，０００を包含する）の範囲の整数であり、そしてこの場合、ｎ対ｍの比は、１：１０〜１０：１の範囲である、方法。
実施形態１５
該フルオロポリマーフィルムが内側部分を更に含み、該フルオロポリマーフィルムの該主要部分と内側部分とが同じ組成を有する、実施形態１４に記載の方法。
実施形態１６
【化１１】
2009522409.tif 000011
の式量が１モル当たり１０，０００〜３７，０００グラムである、実施形態１４に記載の方法。
実施形態１７
【化１２】
2009522409.tif 000012
の式量が１モル当たり１４，０００〜３５，０００グラムである、実施形態１４に記載の方法。
実施形態１８
該フィルムの厚さが１００マイクロメートル〜３００マイクロメートルまでの範囲である、実施形態１４に記載の方法。
実施形態１９
該感圧接着剤層の少なくとも一部に剥離ライナーを接着する工程を更に含む、実施形態１４に記載の方法。
実施形態２０
該感圧接着剤層の少なくとも一部に基材を接着する工程を更に含む、実施形態１４に記載の方法。
実施形態２１
Ｒがメチルであり、Ｚが
−ＣＨ２Ｃ６Ｈ４Ｃ（ＣＨ３）２Ｃ６Ｈ４ＣＨ２−であり、Ｙが−ＣＨ２ＣＨ２ＣＨ２−であり、ＤがＨであり、そしてＢが
−ＣＨ２ＣＨ２ＣＨ２ＣＨ（ＣＨ３）−である、実施形態１４に記載の方法。
実施形態２２
該フルオロ熱可塑性フィルムが、テトラフルオロエチレン−ヘキサフルオロプロピレン−フッ化ビニリデンコポリマー類；テトラフルオロエチレン−ヘキサフルオロプロピレンコポリマー類；テトラフルオロエチレン−ペルフルオロプロピルビニルエーテルコポリマー類；テトラフルオロエチレン−ヘキサフルオロプロピレンコポリマー類；エチレン−テトラフルオロエチレンコポリマー類；テトラフルオロエチレン−プロピレンコポリマー類；およびテトラフルオロエチレン−ヘキサフルオロプロピレン−エチレンコポリマー類から成る群より選択される少なくとも１つのフルオロ熱可塑性材料を含む、実施形態１４に記載の方法。
実施形態２３
該基材が、ガラス、ポリエステル、ポリアミド、ポリメチルメタクリレート、ポリプロピレン、金属、ガラス繊維、またはセラミックのうち少なくとも１つを含む、実施形態１４に記載の方法。
実施形態２４
該接着剤物品の該感圧接着剤層をガラスに接着して、１８０°剥離接着試験に従って剥離すると、該感圧接着剤層が、ガラスからきれいに剥離し、そして該非多孔性フルオロ熱可塑性フィルムに接着したままである、実施形態１４に記載の接着剤物品の製造方法。
実施形態２５
ｎ対ｍの比率が１である、実施形態１４に記載の接着剤物品の製造方法。